(57)【特許請求の範囲】
【請求項１】
入力信号を所定の電力レベルにまで増幅してスピーカを駆動するオーディオパワーアンプの出力制御装置において、
上記オーディオパワーアンプと上記スピーカとの間をオンオフするスイッチ手段と、上記オーディオパワーアンプから出力されるスピーカ駆動信号に含まれる発振周波数成分を検出する発振検出手段と、同発振検出手段からの出力に基づいて上記スイッチ手段をオンオフ制御するスイッチ制御手段とを備え、
上記スイッチ制御手段は、上記発振周波数成分が消失して上記スイッチ手段をオフからオンに切り換える際、上記発振周波数成分が消失した時点から所定の遅延時間経過後に上記スイッチ手段をオフからオンに切り換えることを特徴とするオーディオパワーアンプの出力制御装置。
【請求項２】
上記発振検出手段が、上記発振周波数成分のみを通過させるハイパスフィルタと、同ハイパスフィルタの出力を直流電圧に変換する整流回路とからなる請求項１に記載のオーディオパワーアンプの出力制御装置。
【請求項３】
上記発振検出手段が、周波数カウンタからなる請求項１に記載のオーディオパワーアンプの出力制御装置。
【発明の詳細な説明】
【０００１】
【発明の属する技術分野】
本発明は、オーディオパワーアンプの出力制御装置に関し、さらに詳しく言えば、特に１００ｋＨｚ帯までの音声信号を扱うのに好適なオーディオパワーアンプの出力制御装置に関するものである。
【０００２】
【従来の技術】
オーディオパワーアンプは、あらかじめ低レベルアンプで十分に増幅された信号電圧を入力信号とし、その信号電圧を主としてスピーカを駆動するのに必要な電力レベルにまで増幅する電力増幅器として知られている。
【０００３】
近年のディジタル技術の進歩により、ＳＡＣＤ（スーパーオーディオディスク）やＤＶＤ（ディジタルビデオディスク）が出現し、特に高域音を取り込めるようにするため、１００ｋＨｚ帯近くの音声信号の再生が求められている。
【０００４】
【発明が解決しようとする課題】
このような高域周波数の信号を扱うとなると、オーディオパワーアンプが、それ自体もしくは外的要因により異常発振を起こす場合がある。
【０００５】
オーディオパワーアンプにおいて、発振は致命的な欠点となる。特に、ヘッドホンにあっては耳の間近にスピーカユニットが置かれているため、聞くに耐えない事態が生ずる。また、スピーカについては、ツィータなどが破壊する事態が生ずる。
【０００６】
そのため、従来ではあらゆる外的要因を想定して、位相補償回路や高域周波数カット回路などを採用して、オーディオパワーアンプの異常発振に対処するようにしている。
【０００７】
しかしながら、これら従来の方法では、音声可聴帯域の位相・周波数特性までもが変化してしまうため、音質が悪化してしまうという別の課題が生ずることになる。
【０００８】
本発明は、上記課題を解決するためになされたもので、その目的は、例えば１００ｋＨｚ帯近くまでの音声信号を増幅するにあたって、音声可聴帯域の位相・周波数特性などに悪影響を及ぼすことなく、オーディオパワーアンプの異常発振に対処することができるようにしたオーディオパワーアンプの出力制御装置を提供することにある。
【０００９】
【課題を解決するための手段】
上記目的を達成するため、本発明は、入力信号を所定の電力レベルにまで増幅してスピーカを駆動するオーディオパワーアンプの出力制御装置において、上記オーディオパワーアンプと上記スピーカとの間をオンオフするスイッチ手段と、上記オーディオパワーアンプから出力されるスピーカ駆動信号に含まれる発振周波数成分を検出する発振検出手段と、同発振検出手段からの出力に基づいて上記スイッチ手段をオンオフ制御するスイッチ制御手段とを備え、上記スイッチ制御手段は、上記発振周波数成分が消失して上記スイッチ手段をオフからオンに切り換える際、上記発振周波数成分が消失した時点から所定の遅延時間経過後に上記スイッチ手段をオフからオンに切り換えることを特徴としている。
【００１０】
この構成によると、オーディオパワーアンプが異常発振したとすれば、その異常発振の発振周波数成分が発振検出手段により検出され、これによりスイッチ制御手段にてスイッチ手段がオフ（開）とされ、スピーカ駆動信号が断たれることになる。
【００１１】
また、発振周波数成分が消失してスイッチ手段をオフからオンに切り換える際、発振周波数成分が消失した時点から所定の遅延時間経過後にスイッチ手段をオフからオンに切り換えるようにしたことにより、スイッチのチャタリングを防止することができる。
【００１２】
本発明において、上記発振検出手段は、上記発振周波数成分（例えば、６００ｋＨｚ以上）のみを通過させるハイパスフィルタと、同ハイパスフィルタの出力を直流電圧に変換する整流回路とからなることが好ましく、これによれば、整流回路から出力される電圧値により異常発振の有無を監視できる。なお、上記発振検出手段は周波数カウンタであってもよい。
【００１３】
【発明の実施の形態】
次に、図１を参照して、本発明の実施形態について説明する。
【００１４】
この出力制御装置によると、オーディオパワーアンプ１０と図示しないスピーカとの間に、オーディオパワーアンプ１０の出力信号（スピーカ駆動信号）をオンオフするスイッチ１１が設けられる。スイッチ１１は、通常よく用いられる半導体スイッチもしくはリレースイッチなどであってよい。
【００１５】
また、この出力制御装置は、オーディオパワーアンプ１０の出力側に接続される発振検出手段１２と、同発振検出手段１２の出力を受けてスイッチ１１をオンオフ制御するスイッチ制御手段としてのコントローラ１３とを備えている。
【００１６】
この実施形態において、発振検出手段１２は、ハイパスフィルタ（高域周波数通過フィルタ）１２１と、同フィルタ１２１を通過した高周波信号を整流して直流電圧に返還する整流回路１２２とからなる。
【００１７】
ハイパスフィルタ１２１は、オーディオパワーアンプ１０の異常発振時などにおいて、その出力信号に含まれる高周波信号成分を検出するもので、この実施形態では、通過周波数帯域を６００ｋＨｚ以上としている。ハイパスフィルタ１２１に代えて周波数カウンタを用いてもよい。
【００１８】
オーディオパワーアンプ１０が正常に動作しており、ハイパスフィルタ１２１にて高周波信号成分が検出されないときには、コントローラ１３はスイッチ１１をオン（閉）にする。
【００１９】
これに対して、例えば外的要因によりオーディオパワーアンプ１０が異常発振を起こしたり、あるいは高周波ノイズが入り込むと、それらの高周波信号成分がハイパスフィルタ１２１を通過して次段の整流回路１２２にて整流され、直流電圧としてコントローラ１３に与えられる。
【００２０】
コントローラ１３は、その直流電圧Ｖａと、あらかじめ設定されている基準電圧Ｖｓとを比較し、その結果がＶａ＞Ｖｓ（もしくはＶａ≧Ｖｓ）のときには、スイッチ１１をオフ（開）にする。
【００２１】
オーディオパワーアンプ１０の異常発振が停止したり、高周波ノイズがなくなって、Ｖａ＜Ｖｓ（もしくはＶａ≦Ｖｓ）となると、コントローラ１３はスイッチ１１をオンに切り換える。
【００２２】
その場合、スイッチ１１のチャタリングを防止するため、コントローラ１３は例えばＶａ＜Ｖｓとなった時点から所定時間経過後にスイッチ１１をオンに切り換える。すなわち、スイッチ１１をオフからオンに転ずる際、コントローラ１３は所定の遅延時間を有している。
【００２３】
なお、スイッチ１１のオフ期間は、スピーカからの放音が途絶えることになるが、オーディオパワーアンプ１０の異常発振や外来の高周波ノイズは、そう長くは続かない場合が多いため、実用上あまり差し障りは生じない。
【００２４】
【発明の効果】
以上説明したように、本発明によれば、オーディオパワーアンプとスピーカとの間にスイッチ手段を設け、オーディオパワーアンプの異常発振を発振検出手段にて検出して上記スイッチ手段をオフ（開）とするようにしたことにより、例えば１００ｋＨｚ帯近くまでの音声信号を増幅するにあたって、音声可聴帯域の位相・周波数特性などに悪影響を及ぼすことなく、オーディオパワーアンプの異常発振に対処することができる。
【図面の簡単な説明】
【図１】本発明によるオーディオパワーアンプ出力制御装置の実施形態を示す回路図。
【符号の説明】
１０  オーディオパワーアンプ
１１  スイッチ
１２  発振検出手段
１２１  ハイパスフィルタ
１２２  整流回路
１３  コントローラ（スイッチ制御手段）
【図１】
0003916428.tif 000002